(57)【要約】  ボトムケースの上端口に上蓋が取り付けられており、ボトムケース内にピストン本体が設けられており、ピストン本体の外周面とボトムケースの内壁との間にピストンのシールリングが取り付けられており、ピストン本体の底部とボトムケースとの間にリターンスプリングが設けられており、支柱の下端が上蓋の中心孔から密封してボトムケースに貫入する。前記支柱下端のフランジの底面中心に溝が設けられており、前記溝内に鋼球リターンスプリングが設けられており、ピストン本体の底面の中部にばね溝が設けられており、リターンスプリングの先端がばね溝内に設けられ、ばね溝の軸心に作動油通路が設けられており、作動油通路の先端と鋼球リターンスプリングの下端との間に鋼球が設けられている自己適応型の油圧調整脚。本発明のメリットは、作動油が鋼球によって制御される作動油通路を通して、ピストンの上室と下室内を流れて移動し、リターンスプリングの共同作用に合わせて、支持体の重量と安定状態に達し、脚の高さの自動調整を実現し、外観が簡潔でコンパクトであり、繰返して調整されることに適することである。【選択図】図１
2021510551.tif 000002
【特許請求の範囲】
【請求項１】
ボトムケースと、上蓋と、支柱と、リターンスプリングと、ピストン本体と、ピストンのシールリングと、を備え、上端に開口が設けられたボトムケースの上端に上蓋が取り付けられており、前記ボトムケース内にピストン本体が設けられており、前記ピストン本体の外周面とボトムケースの内壁との間にピストンのシールリングが取り付けられており、前記ピストン本体の底部とボトムケースの底面との間にリターンスプリングが設けられており、前記支柱の下端が上蓋の中心孔から密封して摺動しボトムケースに貫入する自己適応型の油圧調整脚において、前記支柱の下端にフランジが設けられており、前記フランジの底面中心に溝が設けられており、前記溝内に鋼球リターンスプリングが設けられており、前記ピストン本体の底面の中部にばね溝が設けられており、前記リターンスプリングの先端が前記ばね溝内に設けられ、前記ばね溝の軸心に作動油通路としてスルーホールが設けられており、前記作動油通路の先端と鋼球リターンスプリングの下端との間に鋼球が設けられていることを特徴とする、自己適応型の油圧調整脚。
【請求項２】
前記ボトムケース内部の底面中心にリターンスプリングの下端を取り付けるための上フランジが設けられていることを特徴とする、請求項１に記載の自己適応型の油圧調整脚。
【請求項３】
前記上蓋とボトムケースの上端口との間がねじ山を介して互いに接続されることを特徴とする、請求項１に記載の自己適応型の油圧調整脚。
【請求項４】
前記鋼球リターンスプリングがタワー状ばねであり、その小径端の口径が前記鋼球の直径よりやや小さく、鋼球と当接されることを特徴とする、請求項１に記載の自己適応型の油圧調整脚。
【請求項５】
前記作動油通路の先端に前記鋼球の球面と係合する面取りが設けられていることを特徴とする、請求項１に記載の自己適応型の油圧調整脚。
【請求項６】
前記支柱と上蓋の中心孔との間に上蓋密封カバーが設けられており、前記上蓋密封カバーの内周面に少なくとも１本の環状溝が設けられており、前記溝内に支柱封止リングが設けられていることを特徴とする、請求項１に記載の自己適応型の油圧調整脚。
【発明の詳細な説明】
【技術分野】
【０００１】
本発明は、椅子や卓子等の家具製品の足部又は下部における床面との接触部位に用いられ、一般の家具類を支持、安定化する役割を果たし、床面が比較的に平坦ではない場合、支持される物品（椅子や卓子又はテーブル等）自体の重力で圧縮され、テーブルの表面を安定化する役割を果たす自己適応型の油圧調整脚に関する。
【背景技術】
【０００２】
椅子や卓子のような家具製品、特にあるビジネス用卓子の使用過程において、顧客に安定した使用環境を提供するために、底部に調整脚を取り付けることがある。市販の多くの調整脚は、ボルトとして存在し、ボルトを緩めたり締めたりすることで高さを調整して、卓子を安定した状態に調整することを達成する。人力や工具によってボルトを回転駆動させる必要があり、非常に面倒で苦労する。
【発明の概要】
【０００３】
本発明は、従来技術における人力や工具によって高さを調整する必要があり、面倒で苦労するという問題を解決するように、自己適応型の油圧調整脚を提供することを目的とする。
【０００４】
上記目的を実現するために、本発明は以下の技術方案を用いる。ボトムケースと、上蓋と、支柱と、リターンスプリングと、ピストン本体と、ピストンのシールリングと、を備え、上端に開口が設けられたボトムケースの上端に上蓋が取り付けられており、前記ボトムケース内にピストン本体が設けられており、前記ピストン本体の外周面とボトムケースの内壁との間にピストンのシールリングが取り付けられており、前記ピストン本体の底部とボトムケースの底面との間にリターンスプリングが設けられており、前記支柱の下端が上蓋の中心孔から密封して摺動しボトムケースに貫入する自己適応型の油圧調整脚において、前記支柱の下端にフランジが設けられており、前記フランジの底面中心に溝が設けられており、前記溝内に鋼球リターンスプリングが設けられており、前記ピストン本体の底面の中部にばね溝が設けられており、前記リターンスプリングの先端が前記ばね溝内に設けられ、前記ばね溝の軸心に作動油通路としてスルーホールが設けられており、前記作動油通路の先端と鋼球リターンスプリングの下端との間に鋼球が設けられている自己適応型の油圧調整脚。
【０００５】
前記ボトムケース内部の底面中心にリターンスプリングの下端を取り付けるための上フランジが設けられている。
【０００６】
前記上蓋とボトムケースの上端口との間がねじ山を介して互いに接続される。
【０００７】
前記鋼球リターンスプリングがタワー状ばねであり、その小径端の口径が前記鋼球の直径よりやや小さく、鋼球と当接される。
【０００８】
前記作動油通路の先端に前記鋼球の球面と係合する面取りが設けられている。
【０００９】
前記支柱と上蓋の中心孔との間に上蓋密封カバーが設けられており、前記上蓋密封カバーの内周面に少なくとも１本の環状溝が設けられており、前記溝内に支柱封止リングが設けられている。
【００１０】
本発明のメリットは、作動油の流動性と圧力伝達の原理を利用して、作動油がピストンの上室と下室内を移動し、リターンスプリングの戻し反発力の共同作用に合わせて、支持体の重量と安定状態に達し、脚の高さの自動調整を実現し、外観が簡潔であり、構造がコンパクトとなり、繰返して調整されることに適することである。
【図面の簡単な説明】
【００１１】
【図１】本発明の全体構造の軸方向における断面図である。
【図２】本発明の分解斜視図である。
【発明を実施するための形態】
【００１２】
図１と図２に示すように、本発明に係る自己適応型の油圧調整脚は、ボトムケース８と、上蓋４と、支柱２と、リターンスプリング９と、ピストン本体７と、ピストンのシールリング１と、を備える。上端に開口が設けられたボトムケース８の上端に上蓋４が取り付けられており、前記ボトムケース８内にピストン本体７が設けられており、前記ピストン本体７の外周面とボトムケース８の内壁との間にピストンのシールリング１が取り付けられており、前記ピストン本体７の底部とボトムケース８の底面との間にリターンスプリング９が設けられており、前記支柱２の下端が上蓋４の中心孔から密封して摺動しボトムケース８に貫入する。前記支柱２の下端にフランジ２１が設けられており、前記フランジ２１の底面中心に溝が設けられており、前記溝内に鋼球リターンスプリング５が設けられており、前記ピストン本体７の底面の中部にばね溝が設けられており、前記リターンスプリング９の先端が前記ばね溝内に設けられ、前記ばね溝の軸心に作動油通路としてスルーホール７１が設けられており、前記作動油通路７１の先端と鋼球リターンスプリング５の下端との間に鋼球６が設けられている。前記支柱２と上蓋４の中心孔との間に上蓋密封カバー３が設けられており、前記上蓋密封カバー３の内周面に少なくとも１本の環状溝が設けられており、前記溝内に支柱封止リング１０が設けられている。
【００１３】
前記ボトムケース８内部の底面中心にリターンスプリング９の下端を取り付けるための上フランジが設けられている。
【００１４】
前記上蓋４とボトムケース８の上端口との間がねじ山を介して互いに接続される。
【００１５】
前記鋼球リターンスプリング５がタワー状ばねであり、その小径端の口径が前記鋼球６の直径よりやや小さく、鋼球６と当接される。
【００１６】
前記作動油通路７１の先端に前記鋼球６の球面と係合する面取りが設けられている。
【００１７】
本発明は、使用時に、その支柱２の先端が被支持体に接続される。主な特徴は、油圧の原理により、脚の高さを自動的に調整することである。ピストン本体７の中部の作動油通路７１は１つの鋼球６によってその開閉が制御され、脚に下向きの圧力がかかる場合、ピストンが下へ移動し、ピストンの下室の作動油が作動油通路を通して、ピストンプレートの上室に流れ、作動油による上向きの圧力により鋼球６が突き上げられ、作動油通路７１が開く。ピストンによる下降力とリターンスプリング９の弾力とがバランスを取った後、ピストンが移動を停止し、鋼球６が鋼球リターンスプリング５の作用で戻り、脚が新しい安定状態に達し、高さの自動調整を実現する。上部圧力が解除された（被支持体が持ち上げられた）後、ピストンはリターンスプリング９の作用で上へ移動し、鋼球６が作動油通路を閉じ、ピストン上部の作動油がピストンのシールリング１の周辺から下部へ流れ込み、調整脚の圧力が解放され、ピストンが元の位置まで戻る。
【符号の説明】
【００１８】
１    ピストンのシールリング
２    支柱
２１    支柱の下端フランジ
３    上蓋密封カバー
４    上蓋
５    鋼球リターンスプリング
６    鋼球
７    ピストン本体
７１    作動油通路
８    ボトムケース
９    リターンスプリング
１０    支柱封止リング
【図１】
2021510551.tif 000003
【図２】
2021510551.tif 000004
【国際調査報告】
2021510551.tif 000005
2021510551.tif 000006
2021510551.tif 000007
2021510551.tif 000008